(57)【要約】【課題】どこでも誰でも手軽に占いゲームを行うことができるカード占いセットを提供する。【解決手段】複数枚のカードからなるカードの組１と、複数枚のカードから選択されたカード２を所定のパターンで配置するためのシート３とを備える。各カード２の一面には、中央に、絵柄が印刷された領域４と、上端側余白部分に、絵柄に関係する、文字又は記号が印刷された領域５と、下端側余白部分に、絵柄に関係する、文字又は記号が印刷された領域６とが設けられる。第２の領域５と第３の領域６における文字又は記号は、互いに上下逆向きに印刷される。シート３の一面には、選択されたカード２を着脱可能に保持するための保持部１０が所定のパターンで設けられ、保持部１０に保持されたカード２の近傍のシート３領域には、保持されたカード２の位置に関連する文字又は記号が印刷された領域７が設けられる。【選択図】図１
2009201983.tif 000002
【特許請求の範囲】
【請求項１】
複数枚のカードからなるカードの組と、前記複数枚のカードから選択されたカードを所定のパターンで配置するためのシートとを備え、前記シート上に配置された前記カードのそれぞれの位置関係、及び前記カードに印刷された占い情報に基づいて占いを行うカード占いセットであって、
前記複数枚のカードのそれぞれの一面には、中央に、絵柄による第１の占い情報が印刷された第１の領域と、上端側余白部分に、前記絵柄に関係する、文字又は記号による第２の占い情報が印刷された第２の領域と、下端側余白部分に、前記絵柄に関係する、文字又は記号による第３の占い情報が印刷された第３の領域とが設けられ、前記第２の領域と前記第３の領域における文字又は記号は、互いに上下逆向きに印刷されており、
前記シートの一面には、前記選択されたカードを着脱可能に保持するための保持部が前記所定のパターンで設けられ、前記保持部に保持された前記カードの近傍のシート領域には、前記保持されたカードの位置に関係する、文字又は記号による第４の占い情報が印刷された第４の領域が設けられていることを特徴とするカード占いセット。
【請求項２】
前記保持部は、前記カードを収納するための透明又は半透明のポケットであることを特徴とする請求項１に記載のカード占いセット。
【請求項３】
前記保持部は、前記カードの隅角部を差し込むための切り込みであることを特徴とする請求項１に記載のカード占いセット。
【請求項４】
前記のカードは、タロットカードであることを特徴とする請求項１〜３のいずれかに記載のカード占いセット。
【請求項５】
扁平な直方体形状をなし、その表面または裏面に前記カードの組を収納するための凹部を有する収納部材と、
前記収納部材のサイズに対応する扁平な中空直方体形状をなし、その一側面に前記収納部材の挿入開口を有し、前記収納部材を収納可能なカバーケースと、をさらに備え、
前記シートを前記保持部が設けられた面を内側にして２つ折りにし、一方の折り片が前記凹部を被覆するように、前記シートの２つの折り片の間に前記収納部材を挟んだ状態で、前記収納部材の一側面を先頭にして、前記シート及び前記収納部材を、前記収納部材の前記挿入開口から挿入して前記カバーケース内に収納したときに、書籍に模した形態をなすことを特徴とする請求項１〜４のいずれかに記載のカード占いセット。
【請求項６】
扁平な直方体形状をなし、その表面または裏面に前記カードの組及び前記シートを収納するための複数の凹部を有する収納部材と、
厚紙と、
前記収納部材のサイズに対応する扁平な中空直方体形状をなし、その一側面に前記収納部材の挿入開口を有し、前記収納部材を収納可能なカバーケースと、をさらに備え、
前記厚紙を２つ折りにし、一方の折り片が前記凹部を被覆するように、前記厚紙の２つの折り片の間に前記収納部材を挟んだ状態で、前記収納部材の一側面を先頭にして、前記厚紙及び前記収納部材を、前記収納部材の挿入開口から挿入して前記カバーケース内に収納したときに、書籍に模した形態をなすことを特徴とする請求項１〜４のいずれかに記載のカード占いセット。
【発明の詳細な説明】
【技術分野】
【０００１】
本発明は、複数枚のカードからなるカードの組と、複数枚のカードから選択されたカードを所定のパターンで配置するためのシートとを備え、シート上に配置されたカードのそれぞれの位置関係、及びカードに印刷された占い情報に基づいて占いを行うカード占いセットに関するものである。
【背景技術】
【０００２】
近年、タロットや四柱推命等の占いが流行しており、特に占いカードを用いたカード占いセットが市場に多く出回っている。
例えば、タロットカード占いにおいては、複数のカードから選択したカードを、机や床等の平坦な場所に所定のパターンで置いて、カードの位置関係及びカードに印刷された占い情報に基づいて、占いの結果を判定するようになっている。この時、カードを配置する手順、並びに、カードの位置及びカードの向き及びカードに記載された占い情報の組み合わせが表す占いの結果を解説した付属の冊子が使用される。
【０００３】
しかし、かかる構成によれば、プレイヤーは占いを行う際に、冊子を手に持って参照するか、あるいはあらかじめ冊子に記載された内容を暗記しておく必要があった。この点に関し、例えば、選択されたカードを容易に配置可能にすべく、カードの配置を指示する表示を備えたシートが提案されている（例えば特許文献１参照）。しかしながら、上記のシートにおいても、依然として付属の冊子が必要であった。
【先行技術文献】
【特許文献】
【０００４】
【特許文献１】特開平9-327576号
【発明の概要】
【発明が解決しようとする課題】
【０００５】
また、これらの従来技術においては、一旦置いたカードが、わずかな振動によって元の位置から簡単に動いてしまうので、移動する乗り物等のような、安定した平坦な場所を確保できない状況において、占いを行うのは困難であった。また、従来のカード占いセットは、カード、シート及び冊子等の多数の物品の組み合わせからなっているので、それらをまとめて携帯及び保管するのに不便が生じていた。
【０００６】
本発明の課題は、この困難を解消するもので、どこでも誰でも手軽に占いゲームを行うことができるカード占いセットを提供することにある。
また、本発明の別の課題は、携帯及び保管が容易なカード占いセットを提供することにある。
【課題を解決するための手段】
【０００７】
上記課題を解決するため、本発明は、複数枚のカードからなるカードの組と、前記複数枚のカードから選択されたカードを所定のパターンで配置するためのシートとを備え、前記シート上に配置された前記カードのそれぞれの位置関係、及び前記カードに印刷された占い情報に基づいて占いを行うカード占いセットであって、前記複数枚のカードのそれぞれの一面には、中央に、絵柄による第１の占い情報が印刷された第１の領域と、上端側余白部分に、前記絵柄に関係する、文字又は記号による第２の占い情報が印刷された第２の領域と、下端側余白部分に、前記絵柄に関係する、文字又は記号による第３の占い情報が印刷された第３の領域とが設けられ、前記第２の領域と前記第３の領域における文字又は記号は、互いに上下逆向きに印刷されており、前記シートの一面には、前記選択されたカードを着脱可能に保持するための保持部が前記所定のパターンで設けられ、前記保持部に保持された前記カードの近傍のシート領域には、前記保持されたカードの位置に関係する、文字又は記号による第４の占い情報が印刷された第４の領域が設けられていることを特徴とするカード占いセットを構成したものである。
【０００８】
上記構成において、前記保持部は、前記カードを収納するための透明又は半透明のポケットであること、あるいは前記カードの隅角部を差し込むための切り込みであることが好ましい。
【０００９】
さらに、前記のカードは、タロットカードであることが好ましい。
【００１０】
また、上記構成において、前記カード占いセットが、さらに、扁平な直方体形状をなし、その表面または裏面に前記カードの組を収納するための凹部を有する収納部材と、前記収納部材のサイズに対応する扁平な中空直方体形状をなし、その一側面に前記収納部材の挿入開口を有し、前記収納部材を収納可能なカバーケースと、をさらに備え、前記シートを前記保持部が設けられた面を内側にして２つ折りにし、一方の折り片が前記凹部を被覆するように、前記シートの２つの折り片の間に前記収納部材を挟んだ状態で、前記収納部材の一側面を先頭にして、前記シート及び前記収納部材を、前記収納部材の前記挿入開口から挿入して前記カバーケース内に収納したときに、書籍に模した形態をなすようにしてもよい。
【００１１】
また、上記構成において、前記カード占いセットが、さらに、扁平な直方体形状をなし、その表面または裏面に前記カードの組及び前記シートを収納するための複数の凹部を有する収納部材と、厚紙と、前記収納部材のサイズに対応する扁平な中空直方体形状をなし、その一側面に前記収納部材の挿入開口を有し、前記収納部材を収納可能なカバーケースと、をさらに備え、前記厚紙を２つ折りにし、一方の折り片が前記凹部を被覆するように、前記厚紙の２つの折り片の間に前記収納部材を挟んだ状態で、前記収納部材の一側面を先頭にして、前記厚紙及び前記収納部材を、前記収納部材の挿入開口から挿入して前記カバーケース内に収納したときに、書籍に模した形態をなすようにしてもよい。
【発明の効果】
【００１２】
本発明によれば、複数枚のカードからなるカードの組と、選択されたカードを所定のパターンで配置するためのシートとを備えたカード占いセットにおいて、各カードの一面には、中央に、絵柄による第１の占い情報が印刷された第１の領域と、上端側余白部分に、絵柄に関係する、文字又は記号による第２の占い情報が印刷された第２の領域と、下端側余白部分に、絵柄に関係する、文字又は記号による第３の占い情報が印刷された第３の領域とを設け、第２の領域と第３の領域における文字又は記号は、互いに上下逆向きに印刷されるとともに、シートにおける保持されたカードの近傍の領域には、当該カードの位置に関係する、文字又は記号による第４の占い情報が印刷された第４の領域を設けたので、占いの初心者であっても、冊子を参照したり、あるいは冊子に記載された内容を予め暗記することなく、非常に簡単に占いを行うことができる。
【００１３】
また、シートの一面に、選択されたカードを着脱可能に保持するようにしたので、移動する乗り物等のような、安定した平坦な場所を確保できない状況においても、占いを行うことができる。
【００１４】
さらに、シートの各保持部に、それに対応する第４の占い情報が印刷された第４の領域を設けて、第４の占い情報に従ってカードが配置されるようにしたので、占い本来のカードの配置パターンと異なるカードの配置パターンとしても、従来と同様に占いを行うことができる。このため、占いのために必要なカードの配置スペースを従来よりも小さくすることができる。
【００１５】
また、カードの組及びシートに加えて、さらに収納部材及びカバーケースを備え、カード占いセットを全体として書籍を模した形態をなすようにした場合には、カード占いセットを一括してまとめて、かばん等に入れて持ち運んだり、本棚等に収納できる。このため、カード占いセットの携帯及び保管を従来よりも容易にすることができる。さらに、シートにおける書籍の表裏表紙及び背を形成する部分に、カード占いセットに関する種々の情報を印刷することで、より書籍を模した形態に近づけることができる。しかし、この構成では、シートは一定の剛性を有していなければならず、布製やビニール製のシートを用いることができない
【００１６】
そこで、シートを柔軟な材料から形成したい場合には、カードの組、シート、収納部材及びカバーケースに加えて、さらに厚紙を備え、シートを折り畳んで収納部材に収納することができる。
【図面の簡単な説明】
【００１７】
【図１】本発明の第１実施形態によるカード占いセットを構成するカードの組及びシートの斜視図である。
【図２】本発明による占いカードの平面図である。
【図３】図１のシートにカードが保持された状態を示す平面図である。
【図４】本発明の第２実施形態によるシートに、カードが保持された状態を示す平面図である。
【図５】本発明の第３実施形態によるシートに、カードが保持された状態を示す平面図である。
【図６】本発明の第４実施形態によるカード占いセットの分解斜視図である。
【図７】本発明の第４実施形態によるシートで収納部材を挟んだ状態を示す断面図である。
【図８】本発明の第５実施形態によるカード占いセットの分解斜視図である。
【発明を実施するための形態】
【００１８】
以下、本発明の好ましい実施例について図面を参照しながら説明する。
【００１９】
（第１実施形態）
図１は、本発明の第１実施形態によるカード占いセットを構成するカードの組及びシートの斜視図である。本実施形態では、本発明のカード占いセットは、タロットカード占いセットとして構成されている。
図１に示すように、本発明によれば、タロットカードの組１と、タロットカードの組１から選択されたタロットカード２を所定のパターンで配置するためのシート３とが備えられる。ここで、シート３は、例えば、布製、ビニール製、紙製及びプラスチック製のいずれかであるのが好ましいが、折り曲げ可能なものであれば、その材質は何ら限定されない。
【００２０】
図２は、本発明によるタロットカードの平面図である。図２に示すように、各タロットカード２の一面には、中央に、絵柄による第１の占い情報が印刷された第１の領域４と、上端側余白部分に、絵柄に関係する、文字又は記号による第２の占い情報が印刷された第２の領域５と、下端側余白部分に、絵柄に関係する、文字又は記号による第３の占い情報が印刷された第３の領域６とが設けられている。そして、第２の領域５の文字又は記号と第３の領域６における文字又は記号は、互いに上下逆向きに印刷されている。
この場合、第２の占い情報は、絵柄が正の向き（上向き）に配置されたときにそれが意味する事項からなり、一方、第３の占い情報は、絵柄が反対向き（下向き）に配置されたときにそれが意味する事項からなっている。そして、絵柄が上向きになるようにカードが配置された場合に、第２の占い情報が容易に読め、また、絵柄が下向きになるようにカードが配置された場合に、第３の占い情報が容易に読めるようになっている。
【００２１】
図３は、図１のシート３にタロットカード１が保持された状態を示す平面図である。図３に示すように、前記シート３の一面には選択されたタロットカード２を着脱可能に保持するための保持部１０が所定のパターンで設けられている。さらに、保持部１０に保持されたタロットカード２の近傍のシート３領域には、保持されたタロットカード２の位置に関係する、文字又は記号による第４の占い情報が印刷された第４の領域７が設けられている。この実施形態では、保持部１０は、タロットカード２を収納するための透明又は半透明のポケット１１からなっている。第４の占い情報は、タロットカードの配置順序を表す番号や、タロットカードの位置が意味する事項を含んでいる。
【００２２】
次に、本発明のタロットカード占いセットの使用方法について、以下に簡単に説明する。
【００２３】
まず、図１に示すように、タロットカードの組１から選択したタロットカード２を、第４の領域７に印刷されたタロットカードの配置順序を表す番号に従って、１枚ずつシート３上の対応するポケット１１に収納する。それによって、選択したタロットカード２を簡単に所定のパターンで配置することができる。
そして、各ポケット１１に隣接して印刷された第４の占い情報と、各タロットカード２に印刷された第１〜第３の占い情報を読み取ることによって、占いの結果を判定する。つまり、シート上及びタロットカード上に印刷された情報のみに基づいて簡単に占いを行うことができ、占い方を解説した冊子をいちいち参照する必要がなく、初心者でも容易に占いを行うことができる。
【００２４】
また、このポケット１１にカード２を収納することによって、タロットカード２がシート３に保持されるので、一旦配置したタロットカード２が、振動によって元の位置から容易に動いてしまうことが防止されるので、移動する乗り物等のような、安定した平坦な場所を確保できない状況においても、占いを行うことができる。
さらに、シートの各保持部に、それ対応する第４の占い情報が印刷された第４の領域を設け、第４の占い情報に従ってカードが配置されるようにしたので、占い本来のカードの配置パターンと異なるカードの配置パターンとしても、従来と同様に占いを行うことができる。このため、占いのために必要なカードの配置スペースを従来よりも小さくすることができる。
【００２５】
（第２実施形態）
図４は、本発明の第２実施形態によるシートに、タロットカードが保持された状態を示す平面図である。第２実施形態は、タロットカード２を保持する保持部の構成のみが、第１の実施形態と異なっている。したがって、以下では、保持部の構成のみを説明し、他の構成要素の説明を省略する。図４に示すように、保持部１０は、タロットカード２の隅角部を差し込むための切り込み１２からなっている。ここで、切り込み１２の形状は、図４に示したものに限定されるものではなく、タロットカードの少なくとも1つの隅角部を差し込むことができる切り込みであれば、任意の形状であってよい。この実施形態によっても、第１実施形態と同様の効果が得られることは言うまでもない。
【００２６】
（第３実施形態）
図５は、本発明の第３実施形態によるシートに、タロットカードが保持された状態を示す平面図である。第３実施形態は、タロットカード２を保持する保持部の構造のみが、第１の実施形態と異なっている。したがって、以下では、保持部の構成のみを説明し、他の構成要素の説明を省略する。図５に示すように、保持部１０は、タロットカード２の隅角部を差し込むための直角二等辺三角形状の小ポケット１３からなっている。ここで、小ポケット１３の形状は、図５に示したものに限定されるものではなく、タロットカードの隅角部が差し込める小ポケットであれば、任意の形状であってよい。この実施形態によっても、第１実施形態と同様の効果が得られることは言うまでもない。
【００２７】
（第４実施形態）
図６は、本発明の第４実施形態によるカード占いセットの分解斜視図である。この第４実施形態は、カードの組及びシートに加えて、さらに収納部材及びカバーケースを備え、本発明のタロットカード占いセットを書籍に模した形態にまとめた点が、上記の実施形態と異なっている。
図６に示すように、本発明のタロットカード占いセットは、扁平な直方体形状の収納部材２０と、収納部材２０のサイズに対応する扁平な中空直方体形状のカバーケース３０とを備える。収納部材２０は、その表面２３または裏面２４にカードの組１を収納するための凹部２１を有する。カバーケース３０は、その一側面３２に収納部材２０の挿入開口３１を有し、収納部材２０を当該ケース３０内に収納可能にしたものである。ここで、シート３は、例えば、紙製やプラスチック製などの、一定の剛性を有したものでなければならない。また、収納部材２０は、例えば、発泡性ウレタン、発泡性ポリエチレン、発泡性スチロールなどのクッション性に優れた材質からなるのが好ましいが、その材質は何ら限定されるものではない。また、カバーケース３０は、例えば、プラスチック製または紙製であるのが好ましいが、その材質は何ら限定されるものではない。
ここで、まず、収納部材２０の凹部２１にカードの組１を収納する。次に、シート３の保持部１０が設けられた面を内側にしてシート３を２つ折りにする。この２つ折りの態様としては、図７（a）〜（ｃ）にそれぞれ示すような、その断面がコの字型、Ｕ字型、三角コーン型がある。そして、２つ折りにしたシート３の一方の折り片が凹部２１を被覆するように、シート３の２つの折り片の間に収納部材２０を挟んだ状態にする。
そして、収納部材２０の一側面２２を先頭にして、シート３及び収納部材２０を、収納部材２０の挿入開口３１から挿入してカバーケース３０内に収納する。
本発明の第４実施形態によるカード占いセットを使用する際には、カバーケース３０内から、シート３の２つの折り片の間に挟まれた収納部材２０を取り出し、シート３をテーブルの上等に広げるとともに、収納部材２０から、凹部２１に収納されたカードの組１を取り出せばよい。
【００２８】
こうして、カード、シート等の多数の物品を、一括して書籍に模した形態としてまとめることができ、かばん等に入れて持ち運んだり、本棚等に置いたりできるので、カード占いセットの携帯及び保管を従来よりも容易にすることができる。
また、例えば、シートにおける書籍の表裏表紙を形成する部分にカード占いセット内容を表す文字、記号あるいは図形等を印刷し、書籍の背を形成する部分に商品名やキャッチフレーズ等を表す文字、記号あるいは図形等を印刷することで、より書籍を模した形態に近づけることができる。
【００２９】
（第５実施形態）
図８は、本発明の第５実施形態によるカード占いセットの分解斜視図である。この第５実施形態は、さらに厚紙を備え、シートの代わりに厚紙を書籍の表裏表紙及び背とし、シートを収納部材に収納するようにした点が、上記第５実施形態と異なっている。
図８に示すように、本発明のタロットカード占いセットは、扁平な直方体形状をなす収納部材２０’と、収納部材２０’のサイズに対応する扁平な中空直方体形状をなすカバーケース３０’と、厚紙４０とをさらに備える。ここで、厚紙４０は、一定の剛性を有していなければならない。収納部材２０’は、その表面２３’または裏面２４’にカードの組１及びシート３を収納するための複数の凹部２１’を有する。カバーケース３０’は、その一側面３２’に収納部材２０’の挿入開口３１’を有し、収納部材２０’を当該ケース３０’内に収納可能にしたものである。ここで、シート３は、例えば、布製またはビニール製または紙製などの柔軟性を有するものを用いることができる。この場合、シート３の保持部１０は切り込み１２からなっているのが好ましい。
ここで、まず、収納部材２０’の凹部２１にカードの組１及びシート３をそれぞれ収納する。次に、厚紙４０を２つ折りにする。そして、２つ折りにした厚紙４０の一方の折り片が凹部２１’を被覆するように、シート３の２つの折り片の間に収納部材２０’を挟んだ状態にする。
最後に、収納部材２０’の一側面２２’を先頭にして、厚紙４０及び収納部材２０’を、収納部材２０’の挿入開口３１’から挿入してカバーケース３０’内に収納する。
こうして、本発明の第５実施形態によるカード占いセットを使用する際には、カバーケース３０’内から、厚紙４０の２つの折り片の間に挟まれた収納部材２０’を取り出し、、シート３をテーブルの上等に広げるとともに、収納部材２０’から、凹部２１’に収納されたカードの組１及びシート３を取り出せばよい。
【００３０】
したがって、上記と同様に、カード、シート等の多数の物品を、一括してまとめて、かばん等に入れて持ち運んだり、本棚等に収納できるので、カード占いセットの携帯及び保管を従来よりも容易にすることができる。
また、上記第４実施形態のカード占いセットにおいては、シートが書籍の表裏表紙を構成するため、シートの面積が制限されていた（大型化できなかった）が、本第５実施形態のカード占いセットにおいては、シートが折り畳んで収納部材に収納できるようになっているため、第５実施形態のカード占いセットのシートは、第４実施形態のカード占いセットのシートよりも、面積を大きくする（大型化する）ことができる。
【００３１】
以上、本発明の好ましい実施形態を説明したが、本発明の構成はこれらの実施形態に限定されるものではない。例えば、上述の実施形態では、保持部１０として、ポケット１１、又はカード２の隅角部を差し込むための切り込み１２、又はカード２の隅角部を差し込むための小ポケット１３としたが、カードの一部をシート３上に設けたクリップ等によって保持する構成としてもよい。
【００３２】
また、上述の実施形態では、カード２に、絵柄による第１の占い情報が印刷された領域、絵柄に関係する、文字又は記号による第２及び第３の占い情報が印刷された領域を設けたが、これらの領域は、カード表面上の任意の場所に設けられる。また、これらの領域の数は、これら３つの領域に限定されるものではない。
【００３３】
さらに、上述の実施形態では、シート３の一面には選択されたカード２を着脱可能に保持するための保持部１０が所定のパターンで設けられているが、保持部の個数、保持部の配置パターンは任意である。また、保持部１０に保持されたカード２の近傍のシート３領域には、保持されたカード２の位置に関連する占い情報が印刷された第４の領域が設けられているが、これらも保持部のパターン形状、配置数によって、任意に設けられる。
【００３４】
また、さらに、上述の実施形態では、収納部材２０、２０’、カバーケース３０、３０’、厚紙４０の形状は任意である。また、収納部材２０、２０’の凹部２１、２１’の形状、配置方法及び個数は任意であり、凹部２１、２１’にカード、シート以外の占いに関連する物品（例えば、説明書やマニュアル本などの冊子）が収納されてもよい。
【符号の説明】
【００３５】
１  カードの組
２  カード
３  シート
４  第１の領域
５  第２の領域
６  第３の領域
７  第４の領域
１０  保持部
１１  ポケット
１２  切り込み
１３  小ポケット
２０  収納部材
２０’  収納部材
２１  凹部
２１’  凹部
２２  側面
２２’  側面
２３  表面
２３’  表面
２４  裏面
２４’  裏面
２５  冊子（説明書、マニュアル本）
３０  カバーケース
３０’  カバーケース
３１  挿入開口
３１’  挿入開口
３２  側面
３２’  側面
３３  表面
３３’  表面
３４  裏面
３４’  裏面
４０  厚紙
【図１】
2009201983.tif 000003
【図２】
2009201983.tif 000004
【図３】
2009201983.tif 000005
【図４】
2009201983.tif 000006
【図５】
2009201983.tif 000007
【図６】
2009201983.tif 000008
【図７】
2009201983.tif 000009
【図８】
2009201983.tif 000010
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
複数枚のタロットカードからなるタロットカードの組と、前記複数枚のタロットカードから選択されたタロットカードを所定のパターンで配置するためのシートとを備え、前記シート上に配置された前記タロットカードのそれぞれの位置関係、及び前記タロットカードに印刷された占い情報に基づいて占いを行うためのタロットカード占いセットであって、
前記複数枚のタロットカードのそれぞれの一面には、中央に、絵柄による第１の占い情報が印刷された第１の領域と、上端側余白部分に、前記絵柄に関係する、文字又は記号による第２の占い情報が印刷された第２の領域と、下端側余白部分に、前記絵柄に関係する、文字又は記号による第３の占い情報が印刷された第３の領域とが設けられ、前記第２の領域と前記第３の領域における文字又は記号は、互いに上下逆向きに印刷されており、
前記シートの一面には、前記選択されたタロットカードを着脱可能に保持するための複数の保持部が前記所定のパターンで設けられ、前記複数の保持部にそれぞれ保持された前記タロットカードの近傍のシート領域には、前記保持されたタロットカードの配置順序および該タロットカードの位置の意味を表す、文字又は記号による第４の占い情報が印刷された第４の領域が設けられ、
前記各保持部に保持された前記タロットカードの前記第１〜第３の占い情報、および前記各保持部に保持された前記タロットカードの近傍のシート領域に設けられた前記第４の占い情報の組み合わせに基づいて占いが行われることを特徴とするタロットカード占いセット。
【請求項２】
前記保持部は、前記タロットカードを収納するための透明又は半透明のポケットであることを特徴とする請求項１に記載のタロットカード占いセット。
【請求項３】
前記保持部は、前記タロットカードの隅角部を差し込むための切り込みであることを特徴とする請求項１に記載のタロットカード占いセット。
【請求項４】
扁平な直方体形状をなし、その表面または裏面に前記タロットカードの組を収納するための凹部を有する収納部材と、
前記収納部材のサイズに対応する扁平な中空直方体形状をなし、その一側面に前記収納部材の挿入開口を有し、前記収納部材を収納可能なカバーケースと、をさらに備え、
前記シートを前記保持部が設けられた面を内側にして２つ折りにし、一方の折り片が前記凹部を被覆するように、前記シートの２つの折り片の間に前記収納部材を挟んだ状態で、前記収納部材の一側面を先頭にして、前記シート及び前記収納部材を、前記収納部材の前記挿入開口から挿入して前記カバーケース内に収納したときに、書籍に模した形態をなすことを特徴とする請求項１〜３のいずれかに記載のタロットカード占いセット。
【請求項５】
扁平な直方体形状をなし、その表面または裏面に前記タロットカードの組及び前記シートを収納するための複数の凹部を有する収納部材と、
厚紙と、
前記収納部材のサイズに対応する扁平な中空直方体形状をなし、その一側面に前記収納部材の挿入開口を有し、前記収納部材を収納可能なカバーケースと、をさらに備え、
前記厚紙を２つ折りにし、一方の折り片が前記凹部を被覆するように、前記厚紙の２つの折り片の間に前記収納部材を挟んだ状態で、前記収納部材の一側面を先頭にして、前記厚紙及び前記収納部材を、前記収納部材の挿入開口から挿入して前記カバーケース内に収納したときに、書籍に模した形態をなすことを特徴とする請求項１〜３のいずれかに記載のタロットカード占いセット。
【手続補正３】
【補正対象書類名】明細書
【補正対象項目名】０００１
【補正方法】変更
【補正の内容】
【０００１】
本発明は、複数枚のタロットカードからなるタロットカードの組と、複数枚のタロットカードから選択されたタロットカードを所定のパターンで配置するためのシートとを備え、シート上に配置されたタロットカードのそれぞれの位置関係、及びタロットカードに印刷された占い情報に基づいて占いを行うタロットカード占いセットに関するものである。
【手続補正４】
【補正対象書類名】明細書
【補正対象項目名】０００２
【補正方法】変更
【補正の内容】
【０００２】
近年、タロットや四柱推命等の占いが流行しており、特にタロット占いカードを用いたタロットカード占いセットが市場に多く出回っている。
例えば、タロットカード占いにおいては、複数のタロットカードから選択したタロットカードを、机や床等の平坦な場所に所定のパターンで置いて、タロットカードの位置関係及びタロットカードに印刷された占い情報に基づいて、占いの結果を判定するようになっている。この時、タロットカードを配置する手順、並びに、タロットカードの位置及びタロットカードの向き及びタロットカードに記載された占い情報の組み合わせが表す占いの結果を解説した付属の冊子が使用される。
【手続補正５】
【補正対象書類名】明細書
【補正対象項目名】０００３
【補正方法】変更
【補正の内容】
【０００３】
しかし、かかる構成によれば、プレイヤーは占いを行う際に、冊子を手に持って参照するか、あるいはあらかじめ冊子に記載された内容を暗記しておく必要があった。この点に関し、例えば、選択されたタロットカードを容易に配置可能にすべく、タロットカードの配置を指示する表示を備えたシートが提案されている（例えば特許文献１参照）。しかしながら、上記のシートにおいても、依然として付属の冊子が必要であった。
【手続補正６】
【補正対象書類名】明細書
【補正対象項目名】０００５
【補正方法】変更
【補正の内容】
【０００５】
また、これらの従来技術においては、一旦置いたタロットカードが、わずかな振動によって元の位置から簡単に動いてしまうので、移動する乗り物等のような、安定した平坦な場所を確保できない状況において、占いを行うのは困難であった。また、従来のタロットカード占いセットは、タロットカード、シート及び冊子等の多数の物品の組み合わせからなっているので、それらをまとめて携帯及び保管するのに不便が生じていた。
【手続補正７】
【補正対象書類名】明細書
【補正対象項目名】０００６
【補正方法】変更
【補正の内容】
【０００６】
本発明の課題は、この困難を解消するもので、どこでも誰でも手軽に占いゲームを行うことができるタロットカード占いセットを提供することにある。
また、本発明の別の課題は、携帯及び保管が容易なタロットカード占いセットを提供することにある。
【手続補正８】
【補正対象書類名】明細書
【補正対象項目名】０００７
【補正方法】変更
【補正の内容】
【０００７】
上記課題を解決するため、本発明は、複数枚のタロットカードからなるタロットカードの組と、前記複数枚のタロットカードから選択されたタロットカードを所定のパターンで配置するためのシートとを備え、前記シート上に配置された前記タロットカードのそれぞれの位置関係、及び前記タロットカードに印刷された占い情報に基づいて占いを行うためのタロットカード占いセットであって、前記複数枚のタロットカードのそれぞれの一面には、中央に、絵柄による第１の占い情報が印刷された第１の領域と、上端側余白部分に、前記絵柄に関係する、文字又は記号による第２の占い情報が印刷された第２の領域と、下端側余白部分に、前記絵柄に関係する、文字又は記号による第３の占い情報が印刷された第３の領域とが設けられ、前記第２の領域と前記第３の領域における文字又は記号は、互いに上下逆向きに印刷されており、前記シートの一面には、前記選択されたタロットカードを着脱可能に保持するための複数の保持部が前記所定のパターンで設けられ、前記複数の保持部にそれぞれ保持された前記タロットカードの近傍のシート領域には、前記保持されたタロットカードの配置順序および該タロットカードの位置の意味を表す、文字又は記号による第４の占い情報が印刷された第４の領域が設けられ、前記各保持部に保持された前記タロットカードの前記第１〜第３の占い情報、および前記各保持部に保持された前記タロットカードの近傍のシート領域に設けられた前記第４の占い情報の組み合わせに基づいて占いが行われることを特徴とするタロットカード占いセットを構成したものである。
【手続補正９】
【補正対象書類名】明細書
【補正対象項目名】０００８
【補正方法】変更
【補正の内容】
【０００８】
上記構成において、前記保持部は、前記タロットカードを収納するための透明又は半透明のポケットであること、あるいは前記タロットカードの隅角部を差し込むための切り込みであることが好ましい。
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】変更
【補正の内容】
【００１０】
また、上記構成において、前記タロットカード占いセットが、さらに、扁平な直方体形状をなし、その表面または裏面に前記タロットカードの組を収納するための凹部を有する収納部材と、前記収納部材のサイズに対応する扁平な中空直方体形状をなし、その一側面に前記収納部材の挿入開口を有し、前記収納部材を収納可能なカバーケースと、をさらに備え、前記シートを前記保持部が設けられた面を内側にして２つ折りにし、一方の折り片が前記凹部を被覆するように、前記シートの２つの折り片の間に前記収納部材を挟んだ状態で、前記収納部材の一側面を先頭にして、前記シート及び前記収納部材を、前記収納部材の前記挿入開口から挿入して前記カバーケース内に収納したときに、書籍に模した形態をなすようにしてもよい。
【手続補正１２】
【補正対象書類名】明細書
【補正対象項目名】００１１
【補正方法】変更
【補正の内容】
【００１１】
また、上記構成において、前記タロットカード占いセットが、さらに、扁平な直方体形状をなし、その表面または裏面に前記タロットカードの組及び前記シートを収納するための複数の凹部を有する収納部材と、厚紙と、前記収納部材のサイズに対応する扁平な中空直方体形状をなし、その一側面に前記収納部材の挿入開口を有し、前記収納部材を収納可能なカバーケースと、をさらに備え、前記厚紙を２つ折りにし、一方の折り片が前記凹部を被覆するように、前記厚紙の２つの折り片の間に前記収納部材を挟んだ状態で、前記収納部材の一側面を先頭にして、前記厚紙及び前記収納部材を、前記収納部材の挿入開口から挿入して前記カバーケース内に収納したときに、書籍に模した形態をなすようにしてもよい。
【手続補正１３】
【補正対象書類名】明細書
【補正対象項目名】００１２
【補正方法】変更
【補正の内容】
【００１２】
本発明によれば、複数枚のタロットカードからなるタロットカードの組と、選択されたタロットカードを所定のパターンで配置するためのシートとを備えたタロットカード占いセットにおいて、各タロットカードの一面には、中央に、絵柄による第１の占い情報が印刷された第１の領域と、上端側余白部分に、絵柄に関係する、文字又は記号による第２の占い情報が印刷された第２の領域と、下端側余白部分に、絵柄に関係する、文字又は記号による第３の占い情報が印刷された第３の領域とを設け、第２の領域と第３の領域における文字又は記号は、互いに上下逆向きに印刷されるとともに、シートにおける保持されたタロットカードの近傍の領域には、当該タロットカードの位置に関係する、文字又は記号による第４の占い情報が印刷された第４の領域を設けたので、占いの初心者であっても、冊子を参照したり、あるいは冊子に記載された内容を予め暗記することなく、非常に簡単に占いを行うことができる。
【手続補正１４】
【補正対象書類名】明細書
【補正対象項目名】００１３
【補正方法】変更
【補正の内容】
【００１３】
また、シートの一面に、選択されたタロットカードを着脱可能に保持するようにしたので、移動する乗り物等のような、安定した平坦な場所を確保できない状況においても、占いを行うことができる。
【手続補正１５】
【補正対象書類名】明細書
【補正対象項目名】００１４
【補正方法】変更
【補正の内容】
【００１４】
さらに、シートの各保持部に、それに対応する第４の占い情報が印刷された第４の領域を設けて、第４の占い情報に従ってタロットカードが配置されるようにしたので、占い本来のタロットカードの配置パターンと異なるタロットカードの配置パターンとしても、従来と同様に占いを行うことができる。このため、占いのために必要なタロットカードの配置スペースを従来よりも小さくすることができる。
【手続補正１６】
【補正対象書類名】明細書
【補正対象項目名】００１５
【補正方法】変更
【補正の内容】
【００１５】
また、タロットカードの組及びシートに加えて、さらに収納部材及びカバーケースを備え、タロットカード占いセットを全体として書籍を模した形態をなすようにした場合には、タロットカード占いセットを一括してまとめて、かばん等に入れて持ち運んだり、本棚等に収納できる。このため、タロットカード占いセットの携帯及び保管を従来よりも容易にすることができる。さらに、シートにおける書籍の表裏表紙及び背を形成する部分に、タロットカード占いセットに関する種々の情報を印刷することで、より書籍を模した形態に近づけることができる。しかし、この構成では、シートは一定の剛性を有していなければならず、布製やビニール製のシートを用いることができない
【手続補正１７】
【補正対象書類名】明細書
【補正対象項目名】００１６
【補正方法】変更
【補正の内容】
【００１６】
そこで、シートを柔軟な材料から形成したい場合には、タロットカードの組、シート、収納部材及びカバーケースに加えて、さらに厚紙を備え、シートを折り畳んで収納部材に収納することができる。
【手続補正１８】
【補正対象書類名】明細書
【補正対象項目名】００１７
【補正方法】変更
【補正の内容】
【００１７】
【図１】本発明の第１実施形態によるタロットカード占いセットを構成するカードの組及びシートの斜視図である。
【図２】本発明によるタロットカードの平面図である。
【図３】図１のシートにタロットカードが保持された状態を示す平面図である。
【図４】本発明の第２実施形態によるシートに、タロットカードが保持された状態を示す平面図である。
【図５】本発明の第３実施形態によるシートに、タロットカードが保持された状態を示す平面図である。
【図６】本発明の第４実施形態によるタロットカード占いセットの分解斜視図である。
【図７】本発明の第４実施形態によるシートで収納部材を挟んだ状態を示す断面図である。
【図８】本発明の第５実施形態によるタロットカード占いセットの分解斜視図である。